(57)【要約】【課題】  通信途中で通信断となった場合、より確実に通信を再開できるようにすること。【解決手段】  発信側携帯電話１００のＣＰＵ１０３は、通話相手との間で通話が確立した後に、操作部１０６による通信終了の入力によらずに通信断となった場合、自動的に前記通信相手に発信して通話再開を図る。着信側携帯電話１００のＣＰＵ１０３は、通話相手との間で通話が確立した後に、操作部１０６による通信終了の入力操作によらずに通信断となった場合、発信側携帯電話１００からの再コールがない場合には、通信断から所定時間経過後に前記発信側携帯電話１００に発信して、通話再開を図る。【選択図】  図１
2006245987.tif 000002
【特許請求の範囲】
【請求項１】
操作手段と、通信相手からの着信に応答して、前記操作手段の受信開始操作により前記通信相手との間で通信を確立する送受信手段と、前記通信相手との間で通信が確立した後に、前記操作手段の通信終了操作によらずに通信断となった場合、前記通信相手からの着信を所定時間待つように前記送受信手段を制御する制御手段とを備えて成ることを特徴とする携帯型通信装置。
【請求項２】
前記制御手段は、前記所定時間経過後に、前記通信相手に発信するように前記送受信手段を制御することを特徴とする請求項１記載の携帯型通信装置。
【請求項３】
表示手段を有し、前記制御手段は、前記操作手段の通信終了操作によらずに通信断となった場合、前記通信相手への発信を促す表示を行い、前記操作手段による発信する旨の入力操作に応答して、前記所定時間経過後に前記通信相手に発信するように前記送受信手段を制御することを特徴とする請求項２記載の携帯型通信装置。
【請求項４】
前記送受信手段は前記操作手段の発信操作に応答して通信相手に発信すると共に、前記制御手段は、前記送受信手段による発信によって通信相手との間で通信が確立した後に、前記操作手段の通信終了操作によらずに通信断となった場合、前記通信相手に再発信するように前記送受信手段を制御することを特徴とする請求項１乃至３のいずれか一に記載の携帯型通信装置。
【請求項５】
前記制御手段は、前記操作手段の通信終了操作によらずに通信断となった場合、前記通信相手に対して電子メールを送信するように前記送受信手段を制御することを特徴とする請求項１乃至４のいずれか一に記載の携帯型通信装置。
【請求項６】
前記制御手段は、前記操作手段の通信終了操作によらずに通信断となった場合、前記通信相手に対する電子メール送信を促す表示を表示手段で行い、前記操作手段による電子メール送信操作に応答して前記電子メールを前記通信相手に送信するように前記送受信手段を制御することを特徴とする請求項５記載の携帯型通信装置。
【請求項７】
複数の携帯型通信装置間で通信を行う通信システムにおいて、
前記携帯型通信装置として、請求項１乃至６のいずれか一に記載の携帯型通信装置を用いて成ることを特徴とする通信システム。
【発明の詳細な説明】
【技術分野】
【０００１】
本発明は、携帯電話やＰＨＳ（Personal Handyphone System）等の使用者が携帯して使用する携帯型通信装置及び携帯型通信装置を用いた通信システムに関する。
【背景技術】
【０００２】
従来から、携帯電話、ＰＨＳ、通信機能を有する携帯情報端末（ＰＤＡ）等の携帯型通信装置を用いた通信システムが利用されている。携帯電話同士にて通話中に、電波状況が悪化する等により、回線が途中で途切れてしまうことが多々ある。このような問題に対応すべく種々の発明が提案されている（例えば、特許文献１〜４参照）。
特許文献１には、通話状態にあった携帯電話が、品質劣化に起因するリリースメッセージを基地局から受信した場合、自身が発信側に該当するか着信側に該当するかを判断し、携帯電話が発信側であった場合、発信側の携帯通信装置は発信履歴を参照し、自動的に再発信を実行するようにした発明が開示されている。しかしながら、受信側の場合には何等考慮されておらず、受信側から発信側に電話したい場合、発信側と受信側が同時に電話をかけ直してしまって、お互いに通話できなくなるという問題がある。
【０００３】
また、特許文献２には、電話をかけたときに、着信側端末が電源切断状態か通話圏外の場合、回線接続装置サーバがメールを作成し、メールサーバに着信履歴を渡し、着信側携帯端末が電源を入れたり、圏外でなくなった時に着信履歴がメールされるようにして、着信側携帯端末で着信履歴がみれるようにした発明が開示されている。しかしながら、何らかの原因で通話が途中で切断された場合に対する対応は考慮されていない。
【０００４】
また、特許文献３には、通信が途切れて、通信が一定時間途切れた場合、リダイヤルするかどうかメッセージを表示し、Ｙｅｓであれば発呼処理行うようにした発明が開示されている。しかしながら、発信側と受信側が同時に電話をかけ直した場合、お互いに通話状態となり、通話できないという問題がある。
また、特許文献４には、通話中に通話切断状態になると、通話断判定回路が正常終了ではないと判断した場合には、通話が切断された相手に再発信動作を行うようにした発明が開示されている。しかしながら、発信側と受信側が同時に電話をかけ直した場合、お互いに通話状態となり、通話できないという問題がある。
【０００５】
【特許文献１】特開２００３−１５８７６９号公報
【特許文献２】特開２００４−８８６４０号公報
【特許文献３】特開平７−８７１７６号公報
【特許文献４】特開平１０−３２７４６５号公報
【発明の開示】
【発明が解決しようとする課題】
【０００６】
本発明は前記問題点に鑑み成されたもので、通信途中で通信断となった場合、より確実に通信を再開できるようにすることを課題としている。
また、本発明は、通信途中で通信断となった場合に、相手方に何らかの情報を送信できるようにすることを課題としている。
【課題を解決するための手段】
【０００７】
本発明によれば、操作手段と、通信相手からの着信に応答して、前記操作手段の受信開始操作により前記通信相手との間で通信を確立する送受信手段と、前記通信相手との間で通信が確立した後に、前記操作手段の通信終了操作によらずに通信断となった場合、前記通信相手からの着信を所定時間待つように前記送受信手段を制御する制御手段とを備えて成ることを特徴とする携帯型通信装置が提供される。
制御手段は、通信相手との間で通信が確立した後に、操作手段の通信終了操作によらずに通信断となった場合、前記通信相手からの着信を所定時間待つように送受信手段を制御する。
【０００８】
ここで、前記制御手段は、前記所定時間経過後に、前記通信相手に発信するように前記送受信手段を制御するように構成してもよい。
また、表示手段を有し、前記制御手段は、前記操作手段の通信終了操作によらずに通信断となった場合、前記通信相手への発信を促す表示を行い、前記操作手段による発信する旨の入力操作に応答して、前記所定時間経過後に前記通信相手に発信するように前記送受信手段を制御するように構成してもよい。
【０００９】
また、前記送受信手段は前記操作手段の発信操作に応答して通信相手に発信すると共に、前記制御手段は、前記送受信手段による発信によって通信相手との間で通信が確立した後に、前記操作手段の通信終了操作によらずに通信断となった場合、前記通信相手に再発信するように前記送受信手段を制御するように構成してもよい。
また、前記制御手段は、前記操作手段の通信終了操作によらずに通信断となった場合、前記通信相手に対して電子メールを送信するように前記送受信手段を制御するように構成してもよい。
【００１０】
また、前記制御手段は、前記操作手段の通信終了操作によらずに通信断となった場合、前記通信相手に対する電子メール送信を促す表示を表示手段で行い、前記操作手段による電子メール送信操作に応答して前記電子メールを前記通信相手に送信するように前記送受信手段を制御するように構成してもよい。
また、本発明によれば、複数の携帯型通信装置間で通信を行う通信システムにおいて、前記携帯型通信装置として、前記いずれか一に記載の携帯型通信装置を用いて成ることを特徴とする通信システムが提供される。
【発明の効果】
【００１１】
本発明によれば、電波状態が悪くて通信途中で通信断となった場合でも、より確実に通信を再開することが可能になる。
また、通信途中で通信断となった場合に、電子メールを用いて、通信相手に情報を送信することが可能になる。
【発明を実施するための最良の形態】
【００１２】
以下、本発明の実施の形態に係る携帯型通信装置について図面を参照して詳細に説明する。尚、本実施の形態では、携帯型通信装置として、携帯電話の例で説明する。
図１は、本発明の実施の形態に係る携帯型通信装置のブロック図であり、携帯電話の例を示している。
【００１３】
図１において、携帯電話１００は、スピーカ及びマイクを有する音声入出力手段としての音声入出力部１０１、記憶手段としてのメモリ１０２、制御手段としての中央処理装置（ＣＰＵ）１０３、信号を無線で送受信するための送受信手段を構成するアンテナ１０４及び送受信部１０５、複数の操作キーを有する操作手段としての操作部１０６、液晶表示装置（ＬＣＤ）によって構成された表示手段としての表示部１０７を備えている。
【００１４】
送受信部１０５は、アンテナ１０４を介して、無線によって音声や電子メール等を送受信する。ＣＰＵ１０３は、メモリ１０２に記憶されたプログラムを実行することにより、種々の機能を実現し又、後述するような処理を行う。
図２及び図３は、図１に示した携帯電話１００の処理を示すフローチャートであり、主としてＣＰＵ１０３の処理を示すフローチャートである。図２は発信側携帯電話の処理を示し、図３は受信側電話の処理を示している。
【００１５】
以下、本発明の実施の形態に係る携帯電話の動作を詳細に説明する。尚、使用者Ａと使用者Ｂがいずれも図１の構成の携帯電話１００（以下、使用者Ａ、Ｂの携帯電話及びそれらの構成要素を表す場合には符号Ａ、Ｂを付記する。）を用いて通信を行うものとし、発信者である使用者Ａの携帯電話１００Ａから、着信者である使用者Ｂの携帯電話１００Ｂに発信を行って、通信を行う場合を説明する。
【００１６】
先ず、図２を用いて、使用者Ａの携帯電話１００Ａの処理を説明する。
ＣＰＵ１０３Ａの制御の下、使用者Ａの携帯電話１００Ａから、着信者である使用者Ｂの携帯電話１００Ｂへ発信し、通常に通話を行う（ステップＳ１０１）。
その後、通話中に使用者Ａ、Ｂのどちらかの携帯電話１００の電波状態が不安定になって回線断となった場合、携帯電話１００ＡのＣＰＵ１０３Ａは通信断になったことを検出する（ステップＳ１０２）。
【００１７】
次に、発信側携帯電話１００ＡのＣＰＵ１０３Ａは、通信終了用操作ボタンであるＨｏｌｄボタン（操作部１０６に含まれる。）を押下せずに通信断となったと認識し（ステップＳ１０３）、携帯電話１００Ａの表示部１０７Ａに通話相手（使用者Ｂ）の携帯電話１００Ｂの電話番号を表示して、前記通話相手Ｂの携帯電話１００Ｂへ自動的にリダイヤルを行なう（ステップＳ１０４）。例えば、ＣＰＵ１０３Ａは、自身の属する携帯電話１００Ａの操作部１０６Ａに含まれる通信終了用操作ボタンであるＨｏｌｄボタンを押下せずに通信断となったと認識した場合、携帯電話１００Ａの表示部１０７Ａに通話相手（使用者Ｂ）の携帯電話１００Ｂの電話番号を表示して、前記通話相手Ｂの携帯電話１００Ｂへ自動的にリダイヤルを行なう。
【００１８】
ＣＰＵ１０３Ａは、通話相手Ｂが応答したか否かを判断し（ステップＳ１０５）、電波状況が良好となって、通話相手Ｂが携帯電話１００Ｂで応答すると、携帯電話１００Ａ、Ｂ間での通話が再開することになる（ステップＳ１０６）。ＣＰＵ１０３Ａは、ステップＳ１０５において、使用者Ａ又は通話相手Ｂの携帯電話Ａ、Ｂの電波状態が悪く通信圏外状態であった場合等は、通話相手Ｂからの応答がないため、通話は再開されずに処理を終了する（ステップＳ１０７）。
【００１９】
一方、着信者Ｂ側の携帯電話１００Ｂでは、ＣＰＵ１０３Ｂが図３の処理を行う。
図３において、先ず、ＣＰＵ１０３Ｂは、発信者Ａ側の携帯電話１００Ａからの着信を受け、通常通りの通話を行う（ステップＳ２０１）。
その後、通話中にどちらかの携帯電話Ａ又は携帯電話Ｂの電波状態が不安定になって回線断となると、携帯電話１００ＢのＣＰＵ１０３Ｂは通信断となったことを検出する（ステップＳ２０２）。
【００２０】
次に、着信側携帯電話１００ＢのＣＰＵ１０３Ｂは、操作部１０６Ｂに含まれる通信終了用操作ボタンであるＨｏｌｄボタンを押下せずに通信断となったと認識すると（ステップＳ２０３）、発信者Ａ側の携帯電話１００Ａからの着信があるか否かを判断する状態である、携帯電話１００Ａの自動リダイヤルによる着信を待つ状態となる（ステップＳ２０４）。例えば、ＣＰＵ１０３Ｂは、自身の属する携帯電話１００Ｂの操作部１０６Ｂに含まれる通信終了用操作ボタンであるＨｏｌｄボタンを押下操作せずに通信断となったと判断した場合、発信者Ａ側の携帯電話１００Ａからの着信があるか否かを判断する状態である、携帯電話１００Ａの自動リダイヤルによる着信を待つ状態となる。
ＣＰＵ１０３Ｂは、ステップＳ２０４において、通信断から所定時間（例えば、十数秒間）内に、携帯電話１００Ａからの着信があったと判断すると、通話を再開する（ステップＳ２０５）。
【００２１】
ＣＰＵ１０３Ｂは、ステップＳ２０４において、発信者Ａ側の携帯電話１００Ａからの着信が、通信断から前記所定時間内にないと判断した場合（ステップＳ２０６）、携帯電話１００Ｂより携帯電話１００Ａへかけ直すか否かの操作部１０６による操作入力を促す表示を表示部１０７Ｂに行う（ステップＳ２０７）。
使用者Ｂが、操作部１０６Ｂの操作により、かけ直さない旨（Ｎｏ）を表示部１０７Ｂで選択して入力すると、ＣＰＵ１０３Ｂはかけ直さないと判断して（ステップＳ２０８）、処理を終了する。
【００２２】
一方、ＣＰＵ１０３Ｂは、ステップＳ２０８において、操作部１０６Ｂによって、かけ直す旨（Ｙｅｓ）が表示部１０７Ｂで選択して入力操作されたと判断すると、発信者Ａ側へダイヤルする（ステップＳ２０９）。
次に、ＣＰＵ１０３Ｂは、使用者Ａの携帯電話１００Ａが応答したか否かを判断し（ステップＳ２１０）、応答したと判断すると通話を再開する（ステップＳ２１１）。一方、ＣＰＵ１０３Ｂは、ステップＳ２１０において、使用者Ａ側の携帯電話１００Ａの電波状態が悪い等によって応答がないと判断した場合には、通話を再開せずに処理を終了する（ステップＳ２１２）。
【００２３】
以上述べたように、本発明の実施の形態に係る携帯型通信装置の一種である携帯電話１００は、操作部１０６と、通信相手からの着信に応答して、操作部１０６の受信開始操作により前記通信相手との間で通信を確立する送受信手段（アンテナ１０４及び送受信部１０５）と、前記通信相手との間で通信が確立した後に、操作部１０６の通信終了操作によらずに通信断となった場合、前記通信相手からの着信を所定時間待つように前記送受信手段を制御する制御手段（ＣＰＵ１０３）とを備えている。
【００２４】
また、前記制御手段は、前記所定時間経過後に、前記通信相手に発信するように前記送受信手段を制御するように構成している。
また、表示部１０７を有し、前記制御手段は、操作部１０６の通信終了操作によらずに通信断となった場合、表示部１０７に前記通信相手への発信を促す表示を行い、操作部１０６による発信する旨の入力操作に応答して、前記所定時間経過後に前記通信相手に発信するように前記送受信手段を制御するように構成している。
【００２５】
また、前記送受信手段は操作部１０６の発信操作に応答して通信相手に発信すると共に、前記制御手段は、前記送受信手段による発信によって通信相手との間で通信が確立した後に、操作部１０６の通信終了操作によらずに通信断となった場合、前記通信相手に再発信するように前記送受信手段を制御するように構成している。
また、発信側携帯電話１００Ａの制御手段は、操作部１０６の操作によらずに通信断となったと判断した場合、携帯電話１００Ａの表示部１０７Ａに通信相手（使用者Ｂ）の携帯電話１００Ｂの電話番号を表示して、前記通話相手Ｂの携帯電話１００Ｂへ自動的にリダイヤルを行う。
このように、携帯電話１００にて通話時に電波状態の劣化による回線切れが起こった際、発信者Ａ側の携帯電話１００Ａから自動的に話し相手（着信者Ｂ側）へリダイヤルが出来、逆に着信者Ｂは発信者Ａからの再コールを所定時間待つようにしている。
【００２６】
これにより、携帯電話１００同士での通話中に回線が途切れてしまった際には、自動的に発信者Ａから再度発信をすると共に、所定時間内であれば着信者Ｂ側からのリダイヤルを抑えられ、お互いにコールし合う事による不通状態を防ぐ事が可能になる。
また、従来は使用者がＨｏｌｄボタンを押し、リダイヤルで通話相手を選択した後、発信しなければならなかったが、通話が切れたと認識すると自動的にリダイヤルする事が出来るため、操作性を向上することが可能になる。
【００２７】
また、着信者Ｂ側の携帯電話１００Ｂでは、通話途中で通話断になったとき、所定時間内に発信者Ａからの着信が無い場合には、それまで通話中だった発信者Ａの携帯電話１００Ａに発信するか否かの入力を促し、発信する旨の入力が成された場合には、発信者Ａ側の携帯電話１００Ａに発信するようにしている。
また、着信側携帯電話１００Ｂの制御手段は、操作部１０６Ｂの通信終了操作によらずに通信断となったと判断した場合、発信者Ａ側の携帯電話１００Ａからの着信があるか否かを判断する状態である、携帯電話１００Ａの自動リダイヤルによる着信を所定時間待つ状態となる。
これにより、発信者Ａから再コールが無い場合でも、お互いに電話をかけ合うことによる不通話の発生を防止すると共に、着信者Ｂ側からも容易に電話をかけて通話を再開することが可能になるという効果を奏する。
【００２８】
図４は、本発明の他の実施の形態に係る携帯型通信装置の処理を示すフローチャートであり、前記実施の形態と同様に携帯電話の例を示している。携帯電話のハードウェア構成等は前記実施の形態と同じであり、ＣＰＵ１０３の処理が図４のように行われる以外は前記実施の形態と同じである。尚、図４は、発信者側の携帯電話の処理を示している。
以下、図１及び図４を参照して、前記実施の形態と異なる部分について、本他の実施の形態の動作を詳細に説明する。
【００２９】
図４において、発信者Ａ側の携帯電話１００Ａ動作において、処理ステップＳ３０１〜処理ステップＳ３０６は、前記実施の形態における図２の処理ステップＳ１０１〜処理ステップＳ１０６と同一であり、その説明は省略する。
ＣＰＵ１０３Ａは、使用者Ａ側携帯電話１００Ａの電波状態が悪くて通信圏外状態であり、通信相手Ｂ側の携帯電話１００Ｂが応答できない場合（ステップＳ３０５）、表示部１０７Ａに電子メール作成を促す表示を行う（ステップＳ３０７）。
【００３０】
次に、使用者Ａが操作部１０６Ａの操作によって電子メールを作成処理を行うと、ＣＰＵ１０３Ａは操作部１０６Ａの操作に応答して電子メールの作成処理を行う（ステップＳ３０８）。
次に、ＣＰＵ１０３Ａは、メールを送信する側Ａの携帯電話１００Ａの電波状態が良好か否かを判断し（ステップＳ３０９）、電波状況が良い場合には前記メールを通信相手Ｂに送信して処理を終了する（ステップＳ３１０）。
【００３１】
一方、ステップＳ３０９において、ＣＰＵ１０３Ａは、メールを送信する携帯電話１００Ａの電波状態が悪くて通信が行えないと判断した場合、前記電子メールをメモリ１０２に記憶しておき、その後携帯電話１００Ａが移動して電波状態が良好になったときに、携帯電話１００Ａが自動的に電波状態を良好と認識し、メモリ１０２に記憶した前記メールを自動送信する（ステップＳ３０９、Ｓ３１０）。
【００３２】
以上のように、本他の実施の形態に係る携帯電話１００は、制御手段は、操作部１０６の通信終了操作によらずに通信断となった場合、通信相手に対して電子メールを送信するように送受信手段を制御するように構成している。
また、前記制御手段は、操作部１０６の通信終了操作によらずに通信断となった場合、前記通信相手に対する電子メール送信を促す表示を表示部１０７で行い、操作部１０６による電子メール送信操作に応答して前記電子メールを前記通信相手に送信するように前記送受信手段を制御するように構成している。
【００３３】
したがって、電波状態が不安定な場所であった場合、リダイヤルして通話し続ける事は困難であるが、電子メールであるならば電波状態が良好な場所で簡単に送付することが出来るため、発信者Ａ側などで電波状態が悪くなり発着信が出来なくなった場合でも相手側にメールを自動送信する事よって、現在や今後の状況等の何らかの情報を相手に連絡することが可能となる。
即ち、使用者Ａが操作部１０６によってメール送信操作を実施してさえいれば、携帯電話１００が自動的に電波状態を認識する事によって電波状態が悪い場所にいたとしても良好な場所に移動した際、自動的にメールを送信することが出来、相手に状況を連絡する事が可能となる。
【００３４】
また、本実施の形態に係る通信システムは、前述したいずれかの実施の形態に係る携帯電話を単一、又は複数用いて通信を行う通信システムが提供される。前記携帯電話１００を用いることにより、電波状態が悪くて通信途中で通信断となった場合でも、より確実に通信を再開することが可能な通信システムを構築することが可能になる。また、通信途中で通信断となった場合に、電子メールを用いて、通信相手に情報を送信することが可能な通信システムを構築することが可能になる。
【００３５】
尚、２つの実施の形態について別々に説明したが、前記２つの実施の形態に係る各機能を一つの携帯電話１００に備えておき、操作部１０６の操作で切り換えて使用するようにしてもよい。
また、前記実施の形態では携帯型通信装置として携帯電話１００を使用した例で説明したが、ＰＨＳ（Personal Handyphone System）、通信機能を有する携帯情報端末等、使用者が携帯して通信を行う機能を有する携帯型通信装置、及び、それらを使用した通信システムに適用することが可能である。
【産業上の利用可能性】
【００３６】
携帯電話、ＰＨＳ（Personal Handyphone System）、通信機能を有する携帯情報端末等、使用者が携帯して通信を行う携帯型通信装置に適用することが可能である。
また、前記携帯型通信装置を用いて通信を行うようにした通信システムに適用可能である。
【図面の簡単な説明】
【００３７】
【図１】本発明の実施の形態に係る通信システムに用いる携帯電話のブロック図である。
【図２】本発明の実施の形態に係る携帯電話の処理を示すフローチャートである。
【図３】本発明の実施の形態に係る携帯電話の処理を示すフローチャートである。
【図４】本発明の他の実施の形態に係る携帯電話の処理を示すフローチャートである。
【符号の説明】
【００３８】
１００・・・携帯型通信装置としての携帯電話
１０１・・・音声入出力手段としての音声入出力部
１０２・・・記憶手段としてのメモリ
１０３・・・制御手段としてのＣＰＵ
１０４・・・送受信手段を構成するアンテナ
１０５・・・送受信手段を構成する送受信部
１０６・・・操作手段としての操作部
１０７・・・表示手段としての表示部
【図１】
2006245987.tif 000003
【図２】
2006245987.tif 000004
【図３】
2006245987.tif 000005
【図４】
2006245987.tif 000006